(57)【要約】【課題】ネットワークの管理者が、ユーザネットワーク側に配置された光伝送装置の状態を、手間が少なく、容易に、把握することができるネットワークシステムを提供する。【解決手段】  ネットワークシステムは、複数のポート１ａ，１ｂ，１ｃを備えるスイッチ１と、ユーザポート２ａ２，２ｂ２，２ｃ２と長距離ポート２ａ１，２ｂ１，２ｃ１を備える複数の光伝送装置２ａ，２ｂ，２ｃと、を備え、スイッチ１のポート１ａ，１ｂ，１ｃはそれぞれ光伝送装置２ａ，２ｂ，２ｃの長距離ポート２ａ１，２ｂ１，２ｃ１に接続され、各光伝送装置２ａ，２ｂ，２ｃは、障害の発生を検知した場合、スイッチ１に障害情報を含む接続性確認情報を送信し、スイッチ１は障害情報を保持する。【選択図】図１
2015012346.tif 000002
【特許請求の範囲】
【請求項１】
複数のポートを備え、前記複数のポートの間でフレームを転送するスイッチと、
ユーザポートと長距離ポートを備え、前記ユーザポートと前記長距離ポートの間でフレームを転送する複数の光伝送装置と、
を備え、
前記スイッチの前記複数のポートの各ポートは前記複数の光伝送装置の各光伝送装置の前記長距離ポートに接続され、
前記各光伝送装置は、障害の発生を検知した場合、前記スイッチに障害情報を含む接続性確認情報を送信し、前記スイッチは前記障害情報を保持する、
ネットワークシステム。
【請求項２】
前記スイッチと前記各光伝送装置は、相互に相手方に前記接続性確認情報を送信する、
請求項１に記載のネットワークシステム。
【請求項３】
前記接続性確認情報に電源断が発生したことを示す障害情報を格納する障害情報格納領域が設定されており、
前記各光伝送装置は、電源断が発生した場合、前記障害情報格納領域に前記電源断が発生したことを示す障害情報を格納した前記接続性確認情報を送信する、
請求項１又は２に記載のネットワークシステム。
【請求項４】
前記スイッチと前記各光伝送装置は、前記接続性確認情報としてイーサネットＯＡＭのＣＣＭフレームを送信する、
請求項２記載のネットワークシステム。
【請求項５】
前記ＣＣＭフレームに電源断が発生したことを示す障害情報を格納する障害情報格納領域が設定されており、
前記各光伝送装置は、電源断が発生した場合、前記障害情報格納領域に前記電源断が発生したことを示す障害情報を格納した前記ＣＣＭフレームを送信する、
請求項４記載のネットワークシステム。
【請求項６】
前記スイッチは広域ネットワーク側に配置され、前記複数の光伝送装置はユーザネットワーク側に配置される、
請求項１〜５いずれかに記載のネットワークシステム。
【発明の詳細な説明】
【技術分野】
【０００１】
本発明は、ネットワークシステムに関する。
【背景技術】
【０００２】
イーサネット（登録商標）の保守運用の機能として、ＩＴＵ−Ｔ  Ｙ．１７３１及びＩＥＥＥ８０２．１ａｇにより、イーサネットＯｐｅｒａｔｉｏｎ  Ａｄｍｉｎｉｓｔｒａｔｉｏｎ  ａｎｄ  Ｍａｉｎｔｅｎａｎｃｅ（ＯＡＭ）が規格化されている。
【０００３】
従来技術として、例えば、特許文献１には、２台のメディアコンバータ（光伝送装置）が、相互に相手方にイーサネットＯＡＭのＣＣＭ（Ｃｏｎｔｉｎｕｉｔｙ  Ｃｈｅｃｋ  Ｍｅｓｓａｇｅ）フレームを送信し、互いの間の通信の接続性を監視する技術が開示されている。
【先行技術文献】
【特許文献】
【０００４】
【特許文献１】特開２０１２−１２００７３号公報
【発明の概要】
【発明が解決しようとする課題】
【０００５】
従来の光伝送装置を用いたネットワークシステムの概略構成を図８に示す。
【０００６】
図８において、スイッチ８１と光伝送装置８２ｄ，８２ｅ，８２ｆは通信事業者の局舎８３に収容されており、スイッチ８１のポート８１ａ，８１ｂ，８１ｃはそれぞれ光伝送装置８２ｄ，８２ｅ，８２ｆのユーザポート８２ｄ２，８２ｅ２，８２ｆ２に通信ケーブルによって接続されている。スイッチ８１のポート８１ｄは広域ネットワーク８４に接続されている。
【０００７】
光伝送装置８２ｄ，８２ｅ，８２ｆの長距離ポート８２ｄ１，８２ｅ１，８２ｆ１はそれぞれ光伝送装置８２ａ，８２ｂ，８２ｃの長距離ポート８２ａ１，８２ｂ１，８２ｃ１に通信ケーブルによって接続されている。光伝送装置８２ａ，８２ｂ，８２ｃのユーザポート８２ａ２，８２ｂ２，８２ｃ２はそれぞれユーザネットワーク８５ａ，８５ｂ，８５ｃに接続されている。
【０００８】
図８に示されるように、従来、ユーザネットワーク側に配置された光伝送装置と広域ネットワーク側に配置された光伝送装置とを一対一で対向接続する構成が一般的であった。
【０００９】
図８において、対向接続された光伝送装置８２ｄ，８２ｅ，８２ｆと光伝送装置８２ａ，８２ｂ，８２ｃは、相互に相手方にＣＣＭフレームを送信し、互いの間の通信の接続性を監視している。ネットワークの管理者は、管理端末を広域ネットワーク側の光伝送装置８２ｄ，８２ｅ，８２ｆに接続し、光伝送装置８２ｄ，８２ｅ，８２ｆが受信する光伝送装置８２ａ，８２ｂ，８２ｃからのＣＣＭフレームの内容を参照することで、ユーザネットワーク側の光伝送装置８２ａ，８２ｂ，８２ｃの状態を把握する。
【００１０】
このような従来技術の構成において、ネットワークの管理者は、光伝送装置８２ａ，８２ｂ，８２ｃの状態を把握するためには、管理端末を光伝送装置８２ｄ，８２ｅ，８２ｆにそれぞれ接続しなければならないという問題があった。このような作業は、ネットワークの管理者にとって手間がかかるものであった。
【００１１】
したがって、本発明の目的は、光伝送装置の状態を、手間が少なく、容易に、把握することができるネットワークシステムを提供することにある。
【課題を解決するための手段】
【００１２】
本発明は、上記目的を達成するため、複数のポートを備え、複数のポートの間でフレームを転送するスイッチと、ユーザポートと長距離ポートを備え、ユーザポートと長距離ポートの間でフレームを転送する複数の光伝送装置と、を備え、スイッチの複数のポートの各ポートは複数の光伝送装置の各光伝送装置の長距離ポートに接続され、各光伝送装置は、障害の発生を検知した場合、スイッチに障害情報を含む接続性確認情報を送信し、スイッチは障害情報を保持する、ネットワークシステムが提供される。
【発明の効果】
【００１３】
本発明に係るネットワークシステムによれば光伝送装置の状態を、手間が少なく、容易に、把握することができる。
【図面の簡単な説明】
【００１４】
【図１】本発明の実施の形態に係るネットワークシステムの概略構成を示す図である。
【図２】本発明の実施の形態に係るスイッチの概略構成を示す図である。
【図３】本発明の実施の形態に係る光伝送装置の概略構成を示す図である。
【図４】ＣＣＭフレームの構成例を概略的に示す図である。
【図５】ＣＣＭフレームに含まれるＯｐｔｉｏｎａｌ ＴＬＶｓ領域の詳細な構成を示す図である。
【図６】本発明の実施の形態に係るネットワークシステムにおいて、ＣＣＭフレームを送信する動作を示す図である。
【図７】本発明の実施形態に係るネットワークシステムにおいて、光伝送装置が電源断の発生をスイッチに通知する動作を示す図である。
【図８】従来の光伝送装置を用いたネットワークシステムの概略構成を示す図である。
【発明を実施するための形態】
【００１５】
以下、本発明の実施の形態を図面に基づいて説明する。
【００１６】
［実施の形態］
［ネットワークシステム］
図１は、本発明の実施の形態に係るネットワークシステムの概略構成を示す図である。
【００１７】
図１において、スイッチ１は通信事業者の局舎３に収容されており、スイッチ１のポート１ｄは広域ネットワーク４に接続されている。スイッチ１のポート１ａ，１ｂ，１ｃはそれぞれ、ユーザネットワーク５ａ，５ｂ，５ｃ側に配置された光伝送装置２ａ，２ｂ，２ｃの長距離ポート２ａ１，２ｂ１，２ｃ１に通信ケーブルによって接続されている。光伝送装置２ａ，２ｂ，２ｃのユーザポート２ａ２，２ｂ２，２ｃ２はそれぞれユーザネットワーク５ａ，５ｂ，５ｃに接続されている。
【００１８】
このように、本実施の形態のネットワークシステムは、ユーザネットワーク側に配置された光伝送装置が、広域ネットワーク側に配置された光伝送装置に接続されずに、広域ネットワーク側に配置されたスイッチに直接接続されている点で、従来技術の構成と異なる。
【００１９】
［スイッチ］
図２は、本実施の形態に係るスイッチの概略構成を示す図である。
【００２０】
図２において、スイッチ１は、複数のポート１ａ，１ｂ，１ｃ，１ｄと、フレーム転送制御部６と、ＯＡＭ処理部７とを備える。スイッチ１は、本実施の形態では、Ｌａｙｅｒ２（Ｌ２）の処理を行うＬ２スイッチである。スイッチ１は、Ｌａｙｅｒ３の処理を行う機能を備えていてもよい。
【００２１】
複数のポート１ａ，１ｂ，１ｃ，１ｄは、外部から受信したフレームをフレーム転送制御部６に送り、また、フレーム転送制御部６から送られてきたフレームを外部へ送信する。図２において、ポートは４つ図示されているが、ポートの数はこれに限定されない。
【００２２】
フレーム転送制御部６は、複数のポートの間でフレームを転送する制御を行う。フレームの転送を制御する動作は、従来のＬ２スイッチと同じである。具体的に、フレーム転送制御部６は、ＭＡＣアドレスとポートを対応づけて記憶するＦＤＢ（Ｆｏｒｗａｒｄｉｎｇ  Ｄａｔａｂａｓｅ）を備え、ＭＡＣフレーム（フレーム）の宛先ＭＡＣアドレスを参照し、ＦＤＢに宛先ＭＡＣアドレスに対応づけて記憶されているポートを転送先のポートと判定し、当該ポートにＭＡＣフレームを転送する。また、フレーム転送制御部６は、ＭＡＣフレームの送信元ＭＡＣアドレスを参照し、当該送信元ＭＡＣアドレスとＭＡＣフレームを受信したポートとを対応づけてＦＤＢに登録する。
【００２３】
フレーム転送制御部６は、イーサネットＯＡＭのＣＣＭフレームがポートから送られてきた場合、当該ＣＣＭフレームをＯＡＭ処理部７に送る。また、フレーム転送制御部６は、ＯＡＭ処理部７からＣＣＭフレームが送られてきた場合、当該ＣＣＭフレームを所定のポート（対向装置が接続されているポート）へ転送する。
【００２４】
ＯＡＭ処理部７は、イーサネットＯＡＭの処理を行う。イーサネットＯＡＭのＣＣ機能として、ＯＡＭ処理部７は、対向装置が送信したＣＣＭフレームの受信を確認し、ＣＣＭフレームの受信状況（ＣＣＭフレームを受信しているか否か）を保持する（所定の記憶部に記憶する）。ＯＡＭ処理部７は、所定の時間、ＣＣＭフレームを受信しない場合、対向装置との通信に障害が発生したことを検知する。また、ＯＡＭ処理部７は、対向装置が送信したＣＣＭフレームに障害情報が含まれる場合、当該障害情報を保持する（所定の記憶部に記憶する）。また、ＯＡＭ処理部７は、所定の時間間隔で、ＣＣＭフレームを生成し、対向装置に向けて送信するよう、フレーム転送制御部６に送る。また、ＯＡＭ処理部７は、障害の発生を検知した場合、障害情報を含むＣＣＭフレームを生成し、対向装置に送信する。
【００２５】
［光伝送装置］
図３は、本実施の形態に係る光伝送装置２ａの概略構成を示す図である。光伝送装置２ｂ，２ｃも同様の構成を有する。
【００２６】
図３において、光伝送装置２ａは、長距離ポート２ａ１と、ユーザポート２ａ２と、フレーム転送部８と、ＯＡＭ処理部９とを備える。
【００２７】
長距離ポート２ａ１は、長距離（数ｋｍ〜数百ｋｍ）を伝送するための通信ケーブル、例えばシングルモード光ファイバ、が接続されるポートである。長距離ポート２ａ１側のネットワークは、イーサネット等の標準規格の長距離の規格、又は長距離用の独自規格に従う。
【００２８】
ユーザポート２ａ２は、長距離ポート２ａ１よりも短距離（数ｍ〜数百ｍ）の通信ケーブル、例えばメタルケーブル、マルチモード光ファイバなど、が接続されるポートである。ユーザポート２ａ２側のネットワークは、イーサネット等の標準規格の比較的短距離の規格に従う。
【００２９】
フレーム転送部８は、長距離ポート２ａ１で受信したフレームを、ユーザポート２ａ２側のネットワークの規格に従った信号に変換して、ユーザポート２ａ２へ転送する。フレーム転送部８は、ユーザポート２ａ２で受信したフレームを、長距離ポート２ａ１側のネットワークの規格に従った信号に変換して、長距離ポート２ａ１へ転送する。
【００３０】
フレーム転送部８は、イーサネットＯＡＭのＣＣＭフレームが長距離ポート２ａ１から送られてきた場合、当該ＣＣＭフレームをＯＡＭ処理部９に送る。また、フレーム転送部８は、ＯＡＭ処理部９からＣＣＭフレームが送られてきた場合、当該ＣＣＭフレームを長距離ポート２ａ１へ転送する。
【００３１】
ＯＡＭ処理部９は、イーサネットＯＡＭの処理を行う。イーサネットＯＡＭのＣＣ機能として、ＯＡＭ処理部９は、対向装置が送信したＣＣＭフレームの受信を確認し、ＣＣＭフレームの受信状況（ＣＣＭフレームを受信しているか否か）を保持する（所定の記憶部に記憶する）。ＯＡＭ処理部９は、所定の時間、ＣＣＭフレームを受信しない場合、対向装置との通信に障害が発生したことを検知する。また、ＯＡＭ処理部９は、対向装置が送信したＣＣＭフレームに障害情報が含まれる場合、当該障害情報を保持する（所定の記憶部に記憶する）。また、ＯＡＭ処理部９は、所定の時間間隔で、ＣＣＭフレームを生成し、対向装置に向けて送信するよう、フレーム転送部８に送る。また、ＯＡＭ処理部９は、障害の発生を検知した場合、障害情報を含むＣＣＭフレームを生成し、対向装置に送信する。
【００３２】
［ＣＣＭフレーム］
図４は、ＣＣＭフレーム１２の構成例を概略的に示す図である。
【００３３】
ＣＣＭフレーム１２は、ＩＴＵ−Ｔの国際勧告「Ｙ．１７３１」やＩＥＥＥ８０２．１ａｇ等の通信規格に準拠した形式のフレームであり、スイッチ１のＯＡＭ処理部７と光伝送装置２ａのＯＡＭ処理部９において生成される。また、通信障害の発生を検知した場合、スイッチ１のＯＡＭ処理部７と光伝送装置２ａのＯＡＭ処理部９は、各種の障害情報をＣＣＭフレーム１２に格納する。以下、ＣＣＭフレーム１２の構成について説明する。なお、ＣＣＭフレーム１２の基本的な構成は、上記の通信規格に準拠しており、その詳細についての説明は適宜省略する。
【００３４】
図４に示すＣＣＭフレーム１２は、ＤＡ（Ｄｅｓｔｉｎａｔｉｏｎ  Ａｄｄｒｅｓｓ）領域１４、ＳＡ（Ｓｏｕｒｃｅ  Ａｄｄｒｅｓｓ）領域１６、Ｓ−ＴＡＧ（Ｓｅｒｖｉｃｅ  ＶＬＡＮ−ＴＡＧ）領域１８、ＴＹＰＥ領域２０、データ領域２２、及びＦＣＳ（Ｆｒａｍｅ  Ｃｈｅｃｋ  Ｓｅｑｕｅｎｃｅ）領域２４を備える。
【００３５】
ＤＡ領域１４には、マルチキャストアドレスが格納される。また、ＳＡ領域１６には、ＣＣＭフレーム１２を生成した送信元のスイッチ１又は光伝送装置のＭＡＣ（Ｍｅｄｉａ  Ａｃｃｅｓｓ  Ｃｏｎｔｒｏｌ）アドレスが格納される。Ｓ−ＴＡＧ領域１８には、例えば、ＶＬＡＮ（Ｖｅｒｔｕａｌ  Ｌｏｃａｌ  Ａｒｅａ  Ｎｅｔｗｏｒｋ）が設定されている場合、そのＶＬＡＮ情報が格納される。ＴＹＰＥ領域２０には、データ領域２２にＯＡＭに関するデータが格納されていることを示す情報が格納される。
【００３６】
データ領域２２は、Ｈｅａｄｅｒ領域２６、Ｓｅｑ領域２８、ＭＥＰ  ＩＤ領域３０、ＭＥＧ  ＩＤ領域３２、Ｒｓｖ１７３１領域３４、Ｏｐｔｉｏｎａｌ  ＴＬＶｓ（Ｔｙｐｅ  Ｌｅｎｇｈｔ  Ｖａｌｕｅｓ）領域３６、及びＥＮＤ領域３８を有している。
【００３７】
図５は、ＣＣＭフレーム１２に含まれるＯｐｔｉｏｎａｌ  ＴＬＶｓ領域３６の詳細な構成を示す図である。Ｏｐｔｉｏｎａｌ  ＴＬＶ領域３６の基本的な構成は、ＩＴＵ−Ｔの国際勧告「Ｙ．１７３１」やＩＥＥＥ８０２．１ａｇの通信規格に準拠しているため、ここでは各領域の詳細な説明を省略する。
【００３８】
Ｏｐｔｉｏｎａｌ  ＴＬＶｓ領域３６は、ＴＹＰＥ領域４０、Ｌｅｎｇｔｈ領域４２、Ｖａｌｕｅ領域４４から構成されている。また、各領域にはＯＵＩ（Ｏｒｇａｎｉｚａｔｉｏｎａｌｌｙ  Ｕｎｉｑｕｅ  Ｉｄｅｎｔｉｆｉｅｒ）４６を設定することができ、このＯＵＩ４６は、例えばベンダーに対して固有に割り当てられた識別番号である。
【００３９】
Ｖａｌｕｅ領域４４には、障害情報を格納するための障害情報格納領域が設定されている。Ｖａｌｕｅ領域４４には、ＡＩＳ（Ａｌａｒｍ  Ｉｎｄｉｃａｔｉｏｎ  Ｓｉｇｎａｌ）領域４４ａ、ＲＦ（Ｒｅｍｏｔｅ  Ｆａｕｌｔ）領域４４ｂ、ＬＦ（Ｌｏｃａｌ  Ｆａｕｌｔ）領域４４ｃ、ＤＧ（Ｄｙｉｎｇ  Ｇａｓｐ）領域４４ｅ、及びＲｅｓｅｒｖｅｄ領域４４ｄが含まれている。本実施の形態では、ＡＩＳ領域４４ａ、ＲＦ領域４４ｂ、ＬＦ領域４４ｃ、及びＤＧ領域４４ｅが障害情報格納領域に相当する。ＡＩＳ領域４４ａ、ＲＦ領域４４ｂ及びＬＦ領域４４ｃは、例えば、図１に示すスイッチ１と光伝送装置２ａの間で正常に通信が実行されている場合、その値がＯＦＦ（０）に設定されている。一方、上記の間で実行される通信に障害が発生したことを検知した場合、通信障害の状況に応じて、これに対応する領域の値が障害情報としてＯＮ（１）に設定される。
【００４０】
また、ＤＧ領域４４ｅは、スイッチ１又は光伝送装置において電源断が発生し、これを検知した場合に、電源断が発生したことを示す障害情報としてＯＮ（１）に設定される。スイッチ１又は光伝送装置は、電源断が発生し、これを検知した場合、ＤＧ領域４４ｅに（１）を格納したＣＣＭフレームを生成して対向装置に送信する。
【００４１】
［ネットワークシステムの動作］
図６は、本実施の形態に係るネットワークシステムにおいて、ＣＣＭフレームを送信する動作を示す図である。
【００４２】
図６において、スイッチ１と光伝送装置２ａの間には、イーサネットＯＡＭの保守ドメインが設定されている。スイッチ１と光伝送装置２ａは、この保守ドメイン内で、管理端点（ＭＥＰ：Ｍａｉｎｔｅｎａｎｃｅ  Ｅｎｄ  Ｐｏｉｎｔ）として設定されている。スイッチ１と光伝送装置２ａは、この設定に基づき、相互に相手方にＣＣＭフレーム（図６中、ＣＣＭ）を送信する。スイッチ１と光伝送装置２ａは、ＣＣＭフレームの受信を確認し、ＣＣＭフレームの受信状況を保持する。スイッチ１と光伝送装置２ｂの間、及びスイッチ１と光伝送装置２ｃの間についても、同様である。
【００４３】
図７は、本実施の形態に係るネットワークシステムにおいて、光伝送装置が電源断の発生をスイッチに通知する動作を示す図である。
【００４４】
図７において、光伝送装置２ａに、例えば故障等の理由により、電源断が発生している。光伝送装置２ａは、電源断の発生を検知すると、ＤＧ領域４４ｅに（１）を格納したＣＣＭフレーム（図７中、ＣＣＭ（ＤＧ））を生成してスイッチ１に送信する。
【００４５】
スイッチ１は、ＣＣＭ（ＤＧ）を受信すると、ＤＧ領域４４ｅを参照し、（１）が格納されていることに基づき光伝送装置２ａに電源断が発生したことを知る。スイッチ１は、光伝送装置２ａに電源断が発生したという障害情報を保持する。
【００４６】
ネットワークの管理者がユーザネットワーク側の光伝送装置２ａ，２ｂ，２ｃの状態（スイッチ１と光伝送装置２ａ，２ｂ，２ｃの間の接続状態や光伝送装置２ａ，２ｂ，２ｃの動作状態など）を確認する場合、管理端末をスイッチ１に接続する。スイッチ１には光伝送装置２ａ，２ｂ，２ｃからのＣＣＭフレームの受信状況や障害情報が保持されているので、ネットワークの管理者は管理端末を用いてスイッチ１が保持している情報を読み出すことにより、スイッチ１と光伝送装置２ａ，２ｂ，２ｃの間の接続状態や光伝送装置２ａ，２ｂ，２ｃの動作状態を把握することができる。例えば、光伝送装置２ａに電源断が発生している場合、スイッチ１はＣＣＭ（ＤＧ）を受信することによって光伝送装置２ａに電源断が発生したという障害情報を保持しているので、ネットワークの管理者はスイッチ１から情報を読み出すことにより光伝送装置２ａに電源断が発生していることを把握できる。
【００４７】
本実施の形態のネットワークシステムによれば、ネットワークの管理者はスイッチ１から光伝送装置２ａ，２ｂ，２ｃの状態を読み出すことができるので、図８に示した従来技術と比較して、光伝送装置２ａ，２ｂ，２ｃの状態を、手間が少なく、容易に、把握することができる。
【００４８】
また、本実施の形態のネットワークシステムによれば、ＣＣＭフレームに電源断が発生したことを示す障害情報を格納する障害情報格納領域が設定されているので、ＣＣＭフレームを用いて電源断が発生したことを対向装置に通知することができる。イーサネットＯＡＭのＣＣＭフレームを利用しており、電源断が発生したことを通知するための制御フレームを別途生成する必要がないため、実装が容易という利点がある。
【００４９】
なお、本実施の形態では、スイッチと光伝送装置の間の接続性を確認する接続性確認情報としてイーサネットＯＡＭのＣＣＭフレームを用いているが、本発明はこれに限定されない。接続性確認情報として、独自規格による制御フレームを用いることも可能である。
【００５０】
また、本実施の形態では、スイッチと光伝送装置は、相互に相手方にＣＣＭフレームを送信しているが、光伝送装置からスイッチに障害情報を通知するという目的に対しては、光伝送装置からのみスイッチに接続性確認情報を送信するという実施の形態も実現可能である。
【００５１】
また、本実施の形態では、所定の時間間隔で、障害情報を含まないＣＣＭフレームを送信し、障害が発生した場合に障害情報を含むＣＣＭフレームを送信している。変形例として、光伝送装置が自身の電源断の発生をスイッチに通知するという目的に対して、光伝送装置が、所定の時間間隔で障害情報を含まないＣＣＭフレームは送信するということは行わず、電源断の発生し、これを検知した場合に、電源断の発生を示す障害情報を含む接続性確認情報を生成してスイッチに送信するという実施の形態も実現可能である。
【００５２】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【符号の説明】
【００５３】
１  スイッチ
１ａ、１ｂ、１ｃ、１ｄ  ポート
２ａ、２ｂ、２ｃ  光伝送装置
２ａ１、２ｂ１、２ｃ１  長距離ポート
２ａ２、２ｂ２、２ｃ２  ユーザポート
３  局舎
４  広域ネットワーク
５ａ、５ｂ、５ｃ  ユーザネットワーク
６  フレーム転送制御部
７、９  ＯＡＭ処理部
８  フレーム転送部
【図１】
2015012346.tif 000003
【図２】
2015012346.tif 000004
【図３】
2015012346.tif 000005
【図４】
2015012346.tif 000006
【図５】
2015012346.tif 000007
【図６】
2015012346.tif 000008
【図７】
2015012346.tif 000009
【図８】
2015012346.tif 000010